(57)【特許請求の範囲】
【請求項１】
筆記具外装体との間で被挟持物を挟圧保持する弾性変形可能な筆記具用クリップにおいて、
筆記具外装体に設けられたクリップ本体と、前記クリップ本体の端部を折り返すことにより形成されたクリップ押圧片とを備え、
前記クリップ押圧片の幅方向寸法が、前記クリップ本体の幅方向寸法より大きい寸法に設定されていることを特徴とする筆記具用クリップ。
【請求項２】
前記クリップ押圧片が、前記クリップ本体の裏面側に反るような曲率をもつ押圧片からなることを特徴とする請求項１に記載された筆記具用クリップ。
【請求項３】
前記クリップ押圧片の平面形状が、クリップ本体の端部からクリップ押圧片中間部に向かって幅方向寸法を徐々に大きくする曲線の輪郭をもち、かつクリップ押圧片中間部からクリップ押圧片の先端部に向かって幅方向寸法を徐々に小さくする曲線の輪郭をもつ形状であることを特徴とする請求項１または請求項２に記載された筆記具用クリップ。
【発明の詳細な説明】
【０００１】
【発明の属する技術分野】
本発明は、万年筆等の筆記具を、例えば衣服ポケット、手帳等に装着する場合に好適な筆記具用クリップに関する。
ここで、筆記具には、ボールペン、シャープペンシル、万年筆等の筆記具は勿論のこと、物品に着色液を塗布する塗布具、化粧具等の筆記具型の容器を備える道具も含むものである。
【０００２】
【従来の技術】
一般に、万年筆等の筆記具は、ペン芯を有する筆記具本体と、この筆記具本体に着脱可能なキャップとを備えたものが知られている。また、このような筆記具を、使用者が衣服等のポケットや手帳の表紙等に装着して携帯するために、被装着物（被挟持物）を挟圧保持するクリップが設けられている。
【０００３】
従来、この種の筆記具用クリップには、種々のものが採用されており、例えば実用新案登録第２５６１０５６号公報に開示されたものがある。
この公報に示された筆記具用クリップには、キャップ（本体）の表面に被挟持物を圧接するための大小二つの押圧突起をクリップ本体の裏面（内面）に設けられている。
このように構成されたクリップを備えた筆記具を衣服ポケット（被挟持物）に装着するには、先ずキャップ本体の表面からクリップ先端部が離間するようにクリップ本体を弾性変形させ、次に衣服ポケット内に筆記具本体を収納しながら押圧突起とキャップ本体との間に衣服ポケットの縁部を差し込むことにより行う。
【０００４】
このとき、被挟持物が薄手のものである場合には、被挟持物が大きい押圧突起とキャップ本体との間に挟圧保持される。一方、被挟持物が厚手のものである場合には、被挟持物が大小の夫々の押圧突起とキャップ本体との間に挟圧保持される。
【０００５】
【発明が解決しようとする課題】
ところで、被挟持物に筆記具を確実に、安定して装着するため、従来のクリップでは、そのクリップ力（押圧突起による被装着物の圧接力）を大きく設定されている。そのため、従来の筆記具用クリップにおいては、クリップ力が前記押圧突起を介して被挟持物の一部に集中するため、被挟持物に損傷を与えることがあった。
【０００６】
かかる問題を解決するために、例えば、押圧突起を緩衝材で被覆して被挟持物の損傷を抑制することが考えられるが、この場合部品点数が嵩み、クリップ組立時の作業が煩雑になるという新たな課題が生ずる。
また、近年、筆記具用クリップのデザイン面からキャップ本体の軸径に対するクリップ本体の幅方向寸法の寸法比率が小さいものが求められている。このように、クリップ本体の幅方向寸法を小さくすると、被挟持物に筆記具を確実に、安定して装着することができないという課題があった。
【０００７】
本発明は、上記技術的課題を解決するためになされたもので、クリップ本体を折り返して形成されるクリップ押圧片の幅方向寸法を、クリップ本体の幅方向寸法より大きい寸法に設定するという構成により、被挟持物の損傷を抑制した筆記具用クリップを提供することを目的とする。
また、キャップ本体の軸径に対するクリップ本体の幅方向寸法の寸法比率が小さいクリップであっても、被挟持物に筆記具を確実に、安定して装着することができる筆記具用クリップを提供することを目的とする。
【０００８】
【課題を解決するための手段】
前記目的を達成するためになされた筆記具用クリップは、筆記具外装体との間で被挟持物を挟圧保持する弾性変形可能な筆記具用クリップにおいて、筆記具外装体に設けられたクリップ本体と、前記クリップ本体の端部を折り返すことにより形成されたクリップ押圧片とを備え、前記クリップ押圧片の幅方向寸法が、前記クリップ本体の幅方向寸法より大きい寸法に設定されていることを特徴としている。
【０００９】
このように構成されているため、クリップ力が幅広のクリップ押圧片を介して被挟持物に作用することになる。したがって、被挟持物に対しクリップ力が分散して伝達され、被挟持物の損傷を抑制することができる。
また、クリップ押圧片によって被挟持物の損傷を防止できるため、従来のように押圧突起を緩衝材で被覆する必要がない。その結果、部品点数を削減することができ、クリップ組立作業の簡素化を図ることもできる。
【００１０】
更に、クリップ押圧片の幅方向寸法が、クリップ本体の幅方向寸法より大きい寸法に設定されているため、クリップ本体の幅方向寸法を筆記具の軸径に合わせて適宜決定することができるから、デザイン上安定感のある筆記具を得ることができる。また、キャップ本体の軸径に対するクリップ本体の幅方向寸法の寸法比率が小さいクリップであっても、被挟持物に筆記具を確実に、安定して装着することができる。
【００１１】
このほか、クリップ本体の幅方向寸法を筆記具の軸径に合わせて適宜決定（小さく）できるため、筆記具の軸長が短い場合であっても、使用時にクリップ本体に指が接触することがなく、良好な使用感を得ることができる。
【００１２】
ここで、前記クリップ押圧片が、前記クリップ本体の裏面側に反るような曲率をもつ押圧片からなることが望ましい。
このように、クリップ押圧片が構成されているため、クリップ押圧片と筆記具外装体間の空隙がクリップ本体端部（折り返し部）からクリップ押圧片中間部に向かって漸次小さくなるから、被装着物に筆記具を装着する場合にクリップ押圧片がクリップ案内片として機能し、被装着物の挿入を円滑に行うことができる。
【００１３】
更に、前記クリップ押圧片の平面形状が、クリップ本体の端部からクリップ押圧片中間部に向かって幅方向寸法を徐々に大きくする曲線の輪郭をもち、かつクリップ押圧片中間部からクリップ押圧片の先端部に向かって幅方向寸法を徐々に小さくする曲線の輪郭をもつ形状であることが望ましい。
このように構成されているため、クリップ押圧片の中間部が幅広のクリップ押圧片を得ることができる。
【００１４】
【発明の実施の形態】
以下、本発明の実施形態につき、図面を参照して説明する。
図１（ａ）および（ｂ）は本発明の第一実施形態に係る筆記具用クリップの全体を示す正面図と側面図（右側面図）、図２は同じく本発明の第一実施形態に係る筆記具用クリップの要部を示す背面図、図３（ａ）および（ｂ）は本発明の第一実施形態に係る筆記具用クリップが用いられた筆記具（ボールペン）を示す正面図と側面図（右側面図）である。
これら図１〜図３において、符号１で示す筆記具用のクリップは、クリップ本体２およびクリップ押圧片３を備え、筆記具本体（筆記具外装体）４の反ペン芯側端部に取り付けられている。クリップ本体２およびクリップ押圧片３は、クリッ本体２の端部を折り返すことにより形成される。なお、符号Ａはキャップレスの筆記具を示す。
【００１５】
前記クリップ本体２は、クリップ基部片５およびクリップ取付片６を有し、全体が弾性変形可能な金属薄片によって形成されている。
このクリップ基部片５は、図１（ａ）に示すようにクリップ取付片側端部から反クリップ取付側端部（クリップ押圧片３側）に向かって狭くなる幅方向寸法をもつ平面略台形状に形成されている。また、前記クリップ基部片５は、図１（ｂ）に示すようにクリップ取付片近傍を頂点として緩やかな曲線をもつ山形状に形成されている。
【００１６】
また、前記クリップ取付片６はクリップ基部片５に折り曲げ形成され、筆記具本体４の端面４ａに適合する端面６ａを有している。また、クリップ取付片６の端面６ａには、筆記具本体４に対する位置決め用凸部４ａが突設されている。
【００１７】
前記クリップ押圧片３は、筆記具本体４の表面に被挟持物を圧接可能な押圧部３ａを有する押圧片からなり、クリップ本体２の反クリップ取付片側端部（クリップ本体の端部）に、折り返すことにより設けられている。
このクリップ押圧片３の幅方向寸法は、クリップ本体２の幅方向寸法より大きい寸法に設定されている。これにより、筆記具Ａのクリップ力が幅広の（接触面積の広い）クリップ押圧片３を介して被挟持物に作用することになる。
【００１８】
しかも、前記クリップ押圧片３は、図１（ａ）に示すように、クリップ本体２の端部ｂからクリップ押圧片中間部ａに向かって幅方向寸法を徐々に大きくする曲線の輪郭をもち、かつクリップ押圧片中間部ａからクリップ押圧片の先端部ｃに向かって幅方向寸法を徐々に小さくする曲線の輪郭をもつ形状に形成されている。また、前記クリップ押圧片３は、図１（ｂ）に示すようにクリップ本体２の裏面側に反るような曲率をもつ、側面がほぼ山形状の曲面体に形成されている。
【００１９】
これにより、クリップ押圧片３の平面形状がいわゆる流線型となり、クリップ押圧片中間部ａが幅広の形状的に良好な筆記具用クリップが得られる。
また、クリップ押圧片３の側面形状がほぼ山形であると、図３（ｂ）に示すように、クリップ押圧片３と筆記具本体４間の空隙がクリップ本体端部ｂ（折り返し部）からクリップ押圧片中間部ａに向かって漸次小さくなるため、被装着物に筆記具Ａを装着する場合にクリップ押圧片３がクリップ案内片として機能し、被装着部の挿入を円滑に行うことができる。
【００２０】
このように構成されたクリップを備えた筆記具を衣服ポケット等の被挟持物に装着するには、従来と同様にして行う。
即ち、先ず筆記具本体４の表面からクリップ先端部（クリップ押圧片３）が離間するようにクリップ本体２を弾性変形させ、次に衣服ポケット内に筆記具本体４を収納しながら押圧部３ａと筆記具本体４との間に衣服ポケットの縁部を差し込む。
【００２１】
このとき、クリップ押圧片３の押圧部３ａが衣服ポケット等の被挟持物に接触し、クリップ力が幅広の押圧部３ａを介して被挟持物に作用する。
そのため、クリップ１および筆記具本体４によるクリップ力（クリップ押圧片３による押圧力）を大きく設定しても、前記クリップ力が被挟持物に対して分散して伝達される。
【００２２】
したがって、被挟持物に対しクリップ力が分散して伝達され、被挟持物の損傷を抑制することができる。
また、前記クリップ力が被挟持物に対して分散して伝達されるため、従来必要とした緩衝材が不要になり、部品点数を削減することができる。
【００２３】
更に、クリップ押圧片の幅方向寸法が、クリップ本体の幅方向寸法より大きい寸法に設定されているため、クリップ本体の幅方向寸法を筆記具の軸径に合わせて適宜決定することができるため、デザイン上安定感のある筆記具を得ることができる。また、キャップ本体の軸径に対するクリップ本体の幅方向寸法の寸法比率が小さいクリップであっても、幅広のクリップ押圧片が設けられているため、被挟持物に筆記具を確実に、安定して装着することができる。
【００２４】
このほか、クリップ本体の幅方向寸法を筆記具の軸径に合わせて適宜決定（小さく）できるため、筆記具の軸長が短い場合であっても、使用時にクリップ本体に指が接触することがなく、良好な使用感を得ることができる。
【００２５】
なお、本実施形態においては、クリップに施される色彩について説明していないが、クリップ本体２およびクリップ押圧片３が同一の色彩であっても良く、あるいはまた、それぞれが互いに異なる色彩としてもよい。
この場合、クリップ押圧片の非押圧面ｄにクリップ本体における表面の色彩と異なる色彩を施すと、クリップ本体の表面色彩と異なる色彩が施されたクリップ押圧片が視認され、色彩的に良好な筆記具用クリップを得ることができる。
【００２６】
また、本実施形態においては、筆記具本体２に筆記具本体２と別体のクリップ１を取り付ける場合について説明したが、特にこれに限定されるものではなく、筆記具本体２と一体に設けるものであっても良い。
このほか、本実施形態においては、キャップレスの筆記具Ａに適用する場合について説明したが、特にこれに限定されるものではなく、キャップ付きの筆記具にも適用することができる。
【００２７】
【発明の効果】
以上説明したように本発明によれば、クリップ本体を折り返して形成されるクリップ押圧片の幅方向寸法を、クリップ本体の幅方向寸法より大きい寸法に設定するという構成により、被挟持物の損傷を抑制することができる。また、キャップ本体の軸径に対するクリップ本体の幅方向寸法の寸法比率が小さいクリップであっても、被挟持物に筆記具を確実に、安定して装着することができる。
【図面の簡単な説明】
【図１】（ａ）および（ｂ）は本発明の第一実施形態に係る筆記具用クリップの全体を示す正面図と側面図である。
【図２】本発明の第一実施形態に係る筆記具用クリップの要部を示す背面図である。
【図３】（ａ）および（ｂ）は本発明の第一実施形態に係る筆記具用クリップが用いられた筆記具を示す正面図と側面図である。
【符号の説明】
１    クリップ
２    クリップ本体
３    クリップ押圧片
３ａ  クリップ押圧部
４    筆記具本体
５    クリップ基部片
６    クリップ取付片
Ａ    筆記具
ａ    クリップ押圧片中間部
ｂ    クリップ本体端部（折り返し部）
ｃ    クリップ押圧片先端部
ｄ    クリップ押圧片の非押圧面
【図１】
0004437359.tif 000002
【図２】
0004437359.tif 000003
【図３】
0004437359.tif 000004